(57)【要約】【課題】整流蓋の裏面側にヒーターを設けることにより、簡単且つ確実に整流蓋に付着する水蒸気を過熱除去することのできる平坦で外観の良好なＩＨクッキングヒータ用レンジフードを提供するものである。【解決手段】このＩＨクッキングヒータ用レンジフードＡは、平面タイプのＩＨクッキングヒータ用レンジフード本体１に吸気口本体２を配設し、該ＩＨクッキングヒータ用レンジフード本体１に吸気口本体２の位置に合致する開口部３を設けた着脱自在の整流蓋４を形成するとともにこの整流蓋４の裏面側５に水分除去用ヒータ６を設けたものである。【選択図】        図２
2004190899.tif 000002
【特許請求の範囲】
【請求項１】
平面タイプのＩＨクッキングヒータ用レンジフード本体に吸気口本体を配設し、該ＩＨクッキングヒータ用レンジフード本体に吸気口本体位置に合致する開口部を設けた着脱自在の整流蓋を形成するとともに該整流蓋の裏面側に水分除去用ヒータを設けたことを特徴とするＩＨクッキングヒータ用レンジフード。
【請求項２】
上記整流蓋の裏面側に設けられた水分除去用ヒータがレンジフード本体の吸気口周囲に合致する開口部を加熱するようにしたことを特徴とする請求項１記載のＩＨクッキングヒータ用レンジフード。
【請求項３】
上記整流蓋がヒンジで開閉自在に設けるとともに該整流蓋のヒータ端子とレンジフード本体内の端子とをヒンジ側で接続することを特徴とする請求項１又は請求項２記載のＩＨクッキングヒータ用レンジフード。
【請求項４】
上記整流蓋の水分除去用ヒータが面状ヒータやニクロム線で形成されていることを特徴とする請求項１乃至請求項３記載のいずれか１項に記載のＩＨクッキングヒータ用レンジフード。
【請求項５】
上記整流蓋が不燃材料で形成されたことを特徴とする請求項１乃至請求項４記載のいずれか１項に記載のＩＨクッキングヒータ用レンジフード。
【発明の詳細な説明】
【０００１】
【発明の属する技術分野】
本発明は、システムキッチン等にＩＨクッキングヒータ（電磁誘導加熱調理器）を用いて、このＩＨクッキングヒータの上に取付けられるＩＨクッキングヒータ用レンジフードに関するものである。
【０００２】
【従来の技術】
従来からシステムキッチン等にガスバーナ式の加熱方式がとられるものが多かったが、最近では調理場の汚れの少ないＩＨクッキングヒータ（電磁誘導加熱調理器）を用いるものが増加しつつある。その中でＩＨクッキングヒータを用いたた場合に調理で発生する水蒸気は、ＩＨクッキングヒータの上方に位置するレンジフードに付着し結露が発生し易いという問題があった。そこで、下方を開放したフード体に、湯気付着手段を設け、この湯気付着手段は、調理で発生する湯気を付着させるとともに滴下させることなく下方に案内する傾斜面状とし、この湯気付着手段に受水手段を連絡するタイプのＩＨクッキングヒータ用レンジフードが知られている。（例えば、特許文献１参照）
【０００３】
さらに、下側を吸込側とするフード体内に屋外への送風機を設け、調理で発生する湯気を含む調理臭をフードに導く誘導用空気流を生成させ、この誘導用空気流の生成手段としてフード内に設置する送風機からの排気の一部をヒータで加温し、温風によりフード内の結露を防止するタイプのＩＨクッキングヒータ用レンジフードが知られている。（例えば、特許文献２参照）
【０００４】
【特許文献１】
特開２００２−１３０７６１号公報（第１−３頁、図１〜図４）
【０００５】
【特許文献２】
特開２００２−１６８４９６号公報（第１−３頁、図１〜図４、図７）
【０００６】
このように、特許文献１のものでは、湯気を自然付着させ、この湯気を受水手段に導き排水するようにしたものであるから、確実に湯気が捕れにくいものであった。そして、受水口までの設計上、傾斜面が必要となり、天井スペースが少なくなり、外観の制約を受けるものであった。又、特許文献２のものでは、温風によりフード内の結露を防止するタイプのものであるので、温風の温度変化に対応しにくく結露を確実に防止することができにくいものである。
【０００７】
また、図７に示したように、ＩＨクッキングヒータを用いて調理すると、上方に位置するレンジフード３０の整流板３１の表面３２に水蒸気が付着してコンロ上に落下したりするという問題があった。
【０００８】
そのために、図７に示した整流板３１を曲面状の整流板３３を形成することで、壁面側に水蒸気が伝って落ちてくるが、余分な水分溜め容器３４が必要となり、容器３４の取付けや取外しが面倒なものであった。
【０００９】
【発明が解決しようとする課題】
本発明は上記問題点の解決を目的とするものであり、整流蓋の裏面側にヒーターを設けることにより、簡単且つ確実に整流蓋に付着する水蒸気を過熱除去することのできる平坦で外観の良好なＩＨクッキングヒータ用レンジフードを提供するものである。
【００１０】
【課題を解決するための手段】
本発明の請求項１記載のＩＨクッキングヒータ用レンジフードは、平面タイプのＩＨクッキングヒータ用レンジフード本体に吸気口本体を配設し、該ＩＨクッキングヒータ用レンジフード本体に吸気口本体位置に合致する開口部を設けた着脱自在の整流蓋を形成するとともに該整流蓋の裏面側に水分除去用ヒータを設けたことを特徴とするものである。
【００１１】
したがって、整流蓋の裏面側に水分除去用ヒータを設けることにより、簡単且つ確実に整流蓋表面又は開口部周縁に付着する水蒸気を過熱除去することができ、しかも平面タイプのレンジフードであるので、外観が良好となる。
【００１２】
本発明の請求項２記載のＩＨクッキングヒータ用レンジフードは、請求項１記載の整流蓋の裏面側に設けられた水分除去用ヒータがレンジフード本体の吸気口周囲に合致する開口部を加熱するようにしたことを特徴とするものである。
【００１３】
したがって、ヒータにより整流蓋の開口部を加熱しているので、整流蓋の開口部周囲に多く集まる水蒸気を加熱除去することができる。
【００１４】
本発明の請求項３記載のＩＨクッキングヒータ用レンジフードは、請求項１又は請求項２記載の整流蓋がヒンジで開閉自在に設けるとともに該整流蓋のヒータ端子とレンジフード本体内の端子とをヒンジ側で接続することを特徴とするものである。
【００１５】
したがって、整流蓋のヒータの取替えや整流蓋とレンジフード本体内のヒータ端子との接続が簡単となる。
【００１６】
本発明の請求項４記載のＩＨクッキングヒータ用レンジフードは、請求項１乃至請求項３のいずれか１項に記載された水分除去用ヒータが面状ヒータやニクロム線で形成されていることを特徴とするものである。
【００１７】
したがって、整流蓋の水分除去用ヒータが平面的に形成されるので収納スペースが小さくなり、小型化が可能である。
【００１８】
本発明の請求項５記載のＩＨクッキングヒータ用レンジフードは、請求項１乃至請求項４のいずれか１項に記載された整流蓋が不燃材料で形成されたことを特徴とするものである。
【００１９】
したがって、整流蓋が燃えにくい材料で形成されているので、キッチンの防火規格に適合する。
【００２０】
【発明の実施の形態】
図１乃至図６に示したように、本発明の実施形態に係わるＩＨクッキングヒータ用レンジフードであって、以下に説明する。
【００２１】
本発明のＩＨクッキングヒータ用レンジフードＡは、システムキッチン等に用いられる電磁誘導加熱調理器のことであって、この上方に用いられる料理品のレンジフードである。このＩＨクッキングヒータ用レンジフードＡは、平面タイプのＩＨクッキングヒータ用レンジフード本体１に吸気口本体２を配設し、該ＩＨクッキングヒータ用レンジフード本体１に吸気口本体２の位置に合致する開口部３を設けた着脱自在の整流蓋４を形成するとともに該整流蓋４の裏面側５に水分除去用ヒータ６を設けたものである。
【００２２】
このとき、整流蓋４の裏面側５に設けられた水分除去用ヒータ６によって、レンジフード本体１の吸気口周囲に合致する開口部３を加熱するようにすれば整流蓋４の開口部３の周囲に吸引されて多く集まる水蒸気を加熱除去することができる。
【００２３】
また、ＩＨクッキングヒータ用レンジフード本体１と整流蓋４がヒンジ７で開閉自在にするために整流蓋４のヒータ端子８とレンジフード本体内の端子９とをヒンジ７側で接続して、整流蓋４の水分除去用ヒータ６の取替えや整流蓋４とレンジフード本体１内のヒータ端子９との接続が簡単となる。
【００２４】
さらに、水分除去用ヒータ６が面状ヒータやニクロム線で形成されているので、整流蓋４の水分除去用ヒータ６が平面的に形成されるので収納スペースが小さくなり、小型化が可能となる。上記整流蓋４が燃えにくい材料で例えば鉄製やグラスファイバー，ロックウール等の不燃繊維で形成されているので、キッチンの防火規格に適合する。
【００２５】
以下、本発明の一実施例に係わるＩＨクッキングヒータ用レンジフードについて、図１乃至図６に基づいて詳述する。
【００２６】
図１（ａ）、（ｂ）において、システムキッチン１０上に取付けられたＩＨクッキングヒータ１１上に鍋やヤカン等の容器１２を載置して料理する際に、この容器１２内から発生する水蒸気や煙等を上方に配置したＩＨクッキングヒータ用レンジフードＡの吸気口本体２から外部へファン１３で吸引してダクト１４を介して吸引排出するようにしている。ＩＨクッキングヒータ用レンジフードＡは、四角形状の箱体で形成されたＩＨクッキングヒータ用レンジフード本体１に吸気口本体２を配設し、このＩＨクッキングヒータ用レンジフード本体１に四角形状の吸気口本体２の位置に合致する開口部３を設けた着脱自在の整流蓋４を設けた構成となっている。
【００２７】
そして、この着脱自在の整流蓋４は、屈曲自在のヒンジ７をビスや溶接で固着され、（ｂ）のように整流蓋４を開くことにより、整流蓋４の水分除去用ヒータ６の取替えや整流蓋４とＩＨクッキングヒータ用レンジフード本体１内のヒータ端子との接続が簡単となる。さらに、この整流蓋４の裏面側５に設けられた水分除去用ヒータ６によって、ＩＨクッキングヒータ用レンジフード本体１の吸気口周囲に合致する開口部３を加熱するようにすれば整流蓋４の開口部３の周囲に吸引されて集まる水蒸気を加熱除去することができるようにしている。
【００２８】
このとき、水分除去用ヒータ６は、整流蓋４がヒンジ７で開閉自在に設けるとともにこの整流蓋４のヒータ端子８とレンジフード本体内の端子９とをヒンジ７側で接続するようにしているので、整流蓋４の水分除去用ヒータ６の取替えや整流蓋４とレンジフード本体１内のヒータ端子８，９との接続が簡単となる。これらのヒータ端子８，９は、絶縁材料でできたソケット１７，１８で形成されワンタッチ接続及び解除が可能となっている。
【００２９】
尚、この整流蓋４は、燃えにくい材料で例えば鉄製やグラスファイバー，ロックウール等の不燃繊維で形成されているので、キッチンの防火規格に適合するものであり、ＩＨクッキングヒータ用レンジフード本体１の形状は、丸型等であっても良い。
【００３０】
図２は、平面タイプのＩＨクッキングヒータ用レンジフード本体１の略中央に四角形状の吸気口本体２を配設するもので、この吸気口本体２の形状に合致する着脱自在の整流蓋４の裏面側５の周辺の平担部を含む開口部３に水分除去用ヒータ６を配設し、この水分除去用ヒータ６を接着剤やビスで固着したものである。そして、水蒸気が整流蓋４に付着すると水分センサー（図示せず）の働きにより水分除去用ヒータ６を自動的に加熱したり、水蒸気が付着したのを目視して、手動によりスイッチ（図示せず）をＯＮして加熱除去したりするものである。
【００３１】
図３は、本発明の異なる実施例に係わり、平面タイプのＩＨクッキングヒータ用レンジフード本体１の壁面側に四角形状の吸気口本体２を配設するもので、この吸気口本体２の形状に合致する着脱自在の整流蓋４の裏面側５の周辺の平担部に水分除去用ヒータ６を配設し、この水分除去用ヒータ６を接着剤やビスで固着したものである。そして、特に整流蓋４の表面側の水分を除去するものである。図４は、さらに異なる整流蓋４の背面側の平面図であって、整流蓋４の中央部にクリヌキ状の開口部３を形成したものである。内外の整流蓋４は、支持片１９で固着されている。そして、この内外の整流蓋４の背面側に水分除去用ヒータ６、６が設けられ一端から絶縁材料でできたソケット１７で形成され、このソケット１７にヒータ端子８が形成されている。そのために、内外の整流蓋４の表面で水分除去がなされ、ワンタッチ接続及び解除が可能となっている。
【００３２】
図５及び図６は、水分除去用ヒータ６であって、面状に形成した樹脂フィルム１５内に銅箔等でできたヒータとなる導電体２０を渦巻き状に配設して、この導電体２０に通電して加熱するようしたもので、一端にソケット１７にヒータ端子８が設けられ、ワンタッチ接続が可能となるものである。
【００３３】
【発明の効果】
上述の如く、本発明の請求項１記載のＩＨクッキングヒータ用レンジフードは、平面タイプのＩＨクッキングヒータ用レンジフード本体に吸気口本体を配設し、該ＩＨクッキングヒータ用レンジフード本体に吸気口本体位置に合致する開口部を設けた着脱自在の整流蓋を形成するとともにこの整流蓋の裏面側に水分除去用ヒータを設けているので、簡単且つ確実に整流蓋表面又は開口部周縁に付着する水蒸気を過熱除去することができ、しかも平面タイプのレンジフード本体であるので、外観が良好となる。
【００３４】
本発明の請求項２記載のＩＨクッキングヒータ用レンジフードは、整流蓋の裏面側に設けられた水分除去用ヒータがレンジフード本体の吸気口周囲に合致する開口部を加熱するようにしているので、整流蓋の開口部周囲に多く集まる水蒸気を加熱除去することができる。
【００３５】
本発明の請求項３記載のＩＨクッキングヒータ用レンジフードは、整流蓋がヒンジで開閉自在に設けるとともにこの整流蓋のヒータ端子とレンジフード本体内の端子とをヒンジ側で接続しているので、整流蓋のヒータの取替えや整流蓋とレンジフード本体内のヒータ端子との接続が簡単となる。
【００３６】
本発明の請求項４記載のＩＨクッキングヒータ用レンジフードは、水分除去用ヒータが面状ヒータやニクロム線で形成されているので、整流蓋の水分除去用ヒータが平面的に形成され、収納スペースが小さくなり、小型化が可能である。
【００３７】
本発明の請求項５記載のＩＨクッキングヒータ用レンジフードは、整流蓋が不燃材料で形成されているので、キッチンの防火規格に適合する。
【図面の簡単な説明】
【図１】（ａ）は、本発明の一実施例に係わるＩＨクッキングヒータ用レンジフードの取付け状態を示す要部の縦断面図、（ｂ）は、図１の整流蓋を開いた状態を示す要部の縦断面図である。
【図２】本発明の一実施例に係わる図１の中央部に開口部を有する整流蓋の開いた状態を示す要部の斜視図である。
【図３】本発明の異なる実施例に係わる壁面側に開口部を有する整流蓋の開いた状態を示す要部の斜視図である。
【図４】本発明のさらに異なる実施例に係わるキリヌキ加工した開口部を有する整流蓋を示す要部の斜視図である。
【図５】本発明の一実施例に係わる面状ヒータの斜視図である。
【図６】図５のＸ−Ｘ縦断面図である。
【図７】従来の平面タイプのレンジフードの水分の付着状況を示す要部の縦断面図である。
【図８】従来の傾斜タイプのレンジフードの水分の付着状況を示す要部の縦断面図である。
【符号の説明】
１      ＩＨクッキングヒータ用レンジフード本体
２      吸気口本体
３      開口部
４      整流蓋
５      裏面側
６      水分除去用ヒータ
７      ヒンジ
８      ヒータ端子
９      レンジフード本体内の端子
１０    システムキッツン
１１    ＩＨクッキングヒータ
１２    容器
１３    ファン
１４    ダクト
１５    樹脂フィルム
１６    ヒータ端子
１７    ソケット
１８    ソケット
１９    支持片
２０    導電体
【図１】
2004190899.tif 000003
【図２】
2004190899.tif 000004
【図３】
2004190899.tif 000005
【図４】
2004190899.tif 000006
【図５】
2004190899.tif 000007
【図６】
2004190899.tif 000008
【図７】
2004190899.tif 000009
【図８】
2004190899.tif 000010